(57)【要約】【課題】複数の装置が互いに通信している場合において、特別な操作を行うことなく、外部装置における特定の操作を有効にする。【解決手段】端末装置１２は、画像形成装置１０における操作の少なくとも一部を無効にした状態で、画像形成装置１０を操作する機能を有する。画像形成装置１０に表示されている画面が端末装置１２に表示されている状態で、端末装置１２に表示されている画面に対して描画入力操作が行われた場合、画像形成装置１０において無効にされていた操作のうち、その描画入力操作に対応する操作が有効になる。【選択図】図１
2018005273.tif 000002
【特許請求の範囲】
【請求項１】
外部装置と通信する通信手段と、
情報を表示し、入力操作を受け付ける表示手段と、
前記外部装置に表示されている画面を遠隔操作する遠隔操作手段と、
を有し、
前記遠隔操作手段は、前記外部装置における操作の少なくとも一部を無効にした状態で、前記外部装置の操作を行う手段であり、前記外部装置に表示されている画面が前記表示手段に表示されている状態で、前記表示手段に対して描画入力操作が行われた場合、前記外部装置において無効にされていた操作のうち、前記描画入力操作に対応する操作を有効にする、
ことを特徴とする情報処理装置。
【請求項２】
前記表示手段に対して前記描画入力操作が行われた場合、前記遠隔操作手段は、前記外部装置において無効にされていた操作のうち、前記表示手段において前記描画入力操作が行われた位置に対応する操作を有効にする、
ことを特徴とする請求項１に記載の情報処理装置。
【請求項３】
前記表示手段に対して前記描画入力操作が行われた場合、前記遠隔操作手段は、前記外部装置において無効にされていた操作のうち、前記描画入力操作によって描かれた描画画像の範囲に対応する操作を有効にする、
ことを特徴とする請求項１に記載の情報処理装置。
【請求項４】
前記遠隔操作手段は、前記外部装置において無効にされた操作のうち、前記描画画像によって囲まれた範囲内に対応する操作を有効にする、
ことを特徴とする請求項３に記載の情報処理装置。
【請求項５】
前記外部装置に表示されている画面には、機能を表す複数のボタン像が表示されており、
前記遠隔操作手段は、前記複数のボタン像の中で、前記描画画像によって囲まれた範囲内に含まれるボタン像に対する操作を有効にする、
ことを特徴とする請求項４に記載の情報処理装置。
【請求項６】
前記描画入力操作を検知する検知手段を更に有し、
前記検知手段によって前記描画入力操作の終了が検知された後、予め設定された時間が経過した場合に、前記遠隔操作手段は、前記外部装置において無効にされていた操作のうち、前記描画入力操作に対応する操作を有効にする、
ことを特徴とする請求項１から請求項５のいずれか一項に記載の情報処理装置。
【請求項７】
前記検知手段によって前記描画入力操作が検知された後、前記予め設定された時間内に新たな描画入力操作が検知された場合、前記遠隔操作手段は、前記外部装置において前記描画入力操作に対応する操作を有効にしない、
ことを特徴とする請求項６に記載の情報処理装置。
【請求項８】
コンピュータを、
外部装置と通信する通信手段、
入力操作を受け付ける表示手段に情報を表示させる表示制御手段、
前記外部装置に表示されている画面を遠隔操作する遠隔操作手段、
として機能させ、
前記遠隔操作手段は、前記外部装置における操作の少なくとも一部を無効にした状態で、前記外部装置の操作を行う手段であり、前記外部装置に表示されている画面が前記表示手段に表示されている状態で、前記表示手段に対して描画入力操作が行われた場合、前記外部装置において無効にされていた操作のうち、前記描画入力操作に対応する操作を有効にする、
ことを特徴とするプログラム。
【発明の詳細な説明】
【技術分野】
【０００１】
本発明は、情報処理装置及びプログラムに関する。
【背景技術】
【０００２】
複数の装置が互いに通信し、一方の装置によって他方の装置が遠隔で操作される場合がある。このような場合、操作権限を有する装置における操作が受け付けられ、操作権限を有していない装置における操作が受け付けられないことがある。
【０００３】
特許文献１には、端末に操作権が付与されている状態で処理装置に異常が発生した場合に、操作権を処理装置に強制的に移す装置が記載されている。
【先行技術文献】
【特許文献】
【０００４】
【特許文献１】特開２００８−２５１０５０号公報
【発明の概要】
【発明が解決しようとする課題】
【０００５】
ところで、操作権限を他の装置に移すための操作権限移転ボタンが設けられている場合がある。この場合、その操作権限移転ボタンがユーザによって押されると、操作権限が他の装置に移転する。しかし、操作権限を他の装置に移すためには、ユーザが操作権限移転ボタンを押すという特別な操作を行う必要がある。また、特定の操作に関する権限のみを他の装置に移し、当該他の装置において特定の操作を有効にしたい場合が想定される。
【０００６】
本発明の目的は、複数の装置が互いに通信している場合において、特別な操作を行うことなく、外部装置における特定の操作を有効にすることにある。
【課題を解決するための手段】
【０００７】
請求項１に係る発明は、外部装置と通信する通信手段と、情報を表示し、入力操作を受け付ける表示手段と、前記外部装置に表示されている画面を遠隔操作する遠隔操作手段と、を有し、前記遠隔操作手段は、前記外部装置における操作の少なくとも一部を無効にした状態で、前記外部装置の操作を行う手段であり、前記外部装置に表示されている画面が前記表示手段に表示されている状態で、前記表示手段に対して描画入力操作が行われた場合、前記外部装置において無効にされていた操作のうち、前記描画入力操作に対応する操作を有効にする、ことを特徴とする情報処理装置である。
【０００８】
請求項２に係る発明は、前記表示手段に対して前記描画入力操作が行われた場合、前記遠隔操作手段は、前記外部装置において無効にされていた操作のうち、前記表示手段において前記描画入力操作が行われた位置に対応する操作を有効にする、ことを特徴とする請求項１に記載の情報処理装置である。
【０００９】
請求項３に係る発明は、前記表示手段に対して前記描画入力操作が行われた場合、前記遠隔操作手段は、前記外部装置において無効にされていた操作のうち、前記描画入力操作によって描かれた描画画像の範囲に対応する操作を有効にする、ことを特徴とする請求項１に記載の情報処理装置である。
【００１０】
請求項４に係る発明は、前記遠隔操作手段は、前記外部装置において無効にされた操作のうち、前記描画画像によって囲まれた範囲内に対応する操作を有効にする、ことを特徴とする請求項３に記載の情報処理装置である。
【００１１】
請求項５に係る発明は、前記外部装置に表示されている画面には、機能を表す複数のボタン像が表示されており、前記遠隔操作手段は、前記複数のボタン像の中で、前記描画画像によって囲まれた範囲内に含まれるボタン像に対する操作を有効にする、ことを特徴とする請求項４に記載の情報処理装置である。
【００１２】
請求項６に係る発明は、前記描画入力操作を検知する検知手段を更に有し、前記検知手段によって前記描画入力操作の終了が検知された後、予め設定された時間が経過した場合に、前記遠隔操作手段は、前記外部装置において無効にされていた操作のうち、前記描画入力操作に対応する操作を有効にする、ことを特徴とする請求項１から請求項５のいずれか一項に記載の情報処理装置である。
【００１３】
請求項７に係る発明は、前記検知手段によって前記描画入力操作が検知された後、前記予め設定された時間内に新たな描画入力操作が検知された場合、前記遠隔操作手段は、前記外部装置において前記描画入力操作に対応する操作を有効にしない、ことを特徴とする請求項６に記載の情報処理装置である。
【００１４】
請求項８に係る発明は、コンピュータを、外部装置と通信する通信手段、入力操作を受け付ける表示手段に情報を表示させる表示制御手段、前記外部装置に表示されている画面を遠隔操作する遠隔操作手段、として機能させ、前記遠隔操作手段は、前記外部装置における操作の少なくとも一部を無効にした状態で、前記外部装置の操作を行う手段であり、前記外部装置に表示されている画面が前記表示手段に表示されている状態で、前記表示手段に対して描画入力操作が行われた場合、前記外部装置において無効にされていた操作のうち、前記描画入力操作に対応する操作を有効にする、ことを特徴とするプログラムである。
【発明の効果】
【００１５】
請求項１，８に係る発明によると、複数の装置が互いに通信している場合において、特別な操作を行うことなく、外部装置における特定の操作を有効にすることが可能となる。
【００１６】
請求項２に係る発明によると、特別な操作を行うことなく、外部装置において特定の位置に対する操作を有効にすることが可能となる。
【００１７】
請求項３，４に係る発明によると、特別な操作を行うことなく、外部装置において特定の範囲に対する操作を有効にすることが可能となる。
【００１８】
請求項５に係る発明によると、特別な操作を行うことなく、外部装置において特定のボタン像に対する操作を有効にすることが可能となる。
【００１９】
請求項６，７に係る発明によると、複数の描画入力操作が行われた場合、外部装置において複数の描画入力操作に対応する複数の操作がまとめて有効に設定される。
【図面の簡単な説明】
【００２０】
【図１】本発明の実施形態に係る画像形成システムを示すブロック図である。
【図２】本実施形態に係る画像形成装置を示すブロック図である。
【図３】本実施形態に係る端末装置を示すブロック図である。
【図４】総合メニュー画面の一例を示す図である。
【図５】機能選択画面の一例を示す図である。
【図６】コピー設定画面の一例を示す図である。
【図７】本実施形態に係る画像形成システムによる処理の一例を示すシーケンス図である。
【図８】端末装置における画面の遷移の一例を示す図である。
【図９】画像形成装置における画面の遷移の一例を示す図である。
【図１０】画像形成装置における画面の一例を示す図である。
【図１１】画像形成装置における画面の一例を示す図である。
【図１２】画像形成装置における画面の一例を示す図である。
【図１３】画像形成装置における画面の一例を示す図である。
【図１４】画像形成装置における画面の一例を示す図である。
【図１５】画像形成装置における画面の一例を示す図である。
【図１６】端末装置における画面の一例を示す図である。
【図１７】画像形成装置における画面の一例を示す図である。
【発明を実施するための形態】
【００２１】
図１を参照して、本発明の実施形態に係る情報処理システムとしての画像形成システムについて説明する。図１には、本実施形態に係る画像形成システムの一例が示されている。この画像形成システムは、画像形成装置１０と端末装置１２を含む。画像形成装置１０及び端末装置１２は、ネットワーク等の通信経路Ｎを介して互いに通信している。図１に示す例では、１つの画像形成装置１０が画像形成システムに含まれているが、複数の画像形成装置１０が画像形成システムに含まれていてもよい。もちろん、他の装置が画像形成システムに含まれていてもよい。
【００２２】
画像形成装置１０は画像形成機能を備えた装置である。具体的には、画像形成装置１０は、スキャン機能、プリント機能、コピー機能及びファクシミリ機能の中の少なくとも１つの機能を備えた装置である。また、画像形成装置１０は、他の装置との間でデータを送受信する機能を備えている。
【００２３】
端末装置１２は、ＰＣ（パーソナルコンピュータ）、タブレットＰＣ、スマートフォン、携帯電話、等の装置であり、他の装置との間でデータを送受信する機能を備えている。
【００２４】
本実施形態に係る画像形成システムにおいては、端末装置１２は画像形成装置１０を遠隔で操作する機能を備えている。この場合、端末装置１２が情報処理装置の一例に相当し、画像形成装置１０が外部装置の一例に相当する。もちろん、画像形成装置１０が端末装置１２を遠隔で操作する機能を備えていてもよい。この場合、画像形成装置１０が情報処理装置の一例に相当し、端末装置１２が外部装置の一例に相当する。
【００２５】
以下では、端末装置１２が画像形成装置１０を遠隔で操作する機能を有している場合について説明する。端末装置１２は、例えば、画像形成装置１０のカスタマーセンターに設けられており、カスタマーセンターのオペレータ（例えば画像形成装置１０を管理する者等）によって使用される。例えば、画像形成装置１０のユーザ（例えば顧客）とカスタマーセンターのオペレータが、電話やテレビ会議システム等によって連絡を取り、オペレータが顧客に対して画像形成装置１０の操作方法を説明したり、操作を指示したりすることが想定される。そのような状況下で、オペレータが端末装置１２を使用して画像形成装置１０を遠隔で操作することが想定される。
【００２６】
以下、図２を参照して、画像形成装置１０の構成について詳しく説明する。図２には、画像形成装置１０の構成が示されている。
【００２７】
通信部１４は通信インターフェースであり、通信経路Ｎを介して、他の装置にデータを送信する機能、及び、他の装置からデータを受信する機能を備えている。通信部１４は、無線通信機能を備えた通信インターフェースであってもよいし、有線通信機能を備えた通信インターフェースであってもよい。
【００２８】
画像形成部１６は画像形成処理を行う。例えば、画像形成部１６は、スキャン機能、プリント機能、コピー機能及びファクシミリ機能の中の少なくとも１つの機能を実行する。スキャン機能が実行されることにより、原稿が読み取られてスキャンデータ（画像データ）が生成される。プリント機能が実行されることにより、画像が用紙等の記録媒体上に印刷される。コピー機能が実行されることにより、原稿が読み取られて記録媒体上に印刷される。ファクシミリ機能が実行されることにより、画像データがファクシミリ送信又はファクシミリ受信される。当該画像データは原稿を読み取ることにより生成された画像データであってもよいし、他の装置から送信された画像データであってもよい。また、複数の機能を組み合わせた複合機能が実行されてもよい。例えば、スキャン機能と送信機能（転送機能）とを組み合わせたスキャン転送機能が実行されてもよい。このスキャン転送機能が実行されることにより、原稿が読み取られてスキャンデータ（画像データ）が生成され、そのスキャンデータが送信先に送信される。もちろん、この組み合わせ機能は一例に過ぎず、別の組み合わせ機能が実行されてもよい。
【００２９】
記憶部１８はハードディスク等の記憶装置である。記憶部１８には、画像形成処理の実行指示を示す実行指示情報（例えばジョブ情報等）、プリントの対象となる画像データ、スキャン機能を実行することにより生成されたスキャンデータ、各種の制御データ、各種のプログラム、端末装置１２のアドレスを示す端末アドレス情報、課金額を示す情報、課金に対応する処理の実行受付回数や使用資源の情報（例えば用紙カウント枚数）等が記憶される。もちろん、それらは別々の記憶装置に記憶されてもよいし、１つの記憶装置に記憶されてもよい。
【００３０】
ＵＩ部２０はユーザインターフェース部であり、表示部と操作部を含む。表示部は、例えば液晶ディスプレイ等の表示装置である。操作部は、例えばタッチパネルやキーボード等の入力装置であり、遠隔操作を含む各種操作を受け付ける。
【００３１】
制御部２２は、画像形成装置１０の各部の動作を制御する。例えば、制御部２２は、ＵＩ部２０における操作の少なくとも一部を無効にし、また、ＵＩ部２０における操作の無効を解除してその操作を有効にする機能を備えている。例えば、端末装置１２の制御の下、ＵＩ部２０における操作が無効又は有効に設定される。
【００３２】
ＵＩ部２０における操作が無効な状態とは、例えば、その操作がＵＩ部２０によって受け付けられない状態や、操作を行っても反応しない状態である。例えば、ＵＩ部２０の表示部にボタン像（例えばアイコンやキー等の画像も当該ボタン像の範疇に含まれる）が表示されている場合において、ＵＩ部２０における操作が無効の場合、ユーザがそのボタン像を押しても、その操作はＵＩ部２０によって受け付けられず、反応しない。また、操作が無効の場合において、ユーザがＵＩ部２０の表示部の画面に触れた場合に、「操作は無効です。」等といったメッセージがＵＩ部２０の表示部に表示されてもよい。ボタン像は、ユーザが特定の処理や命令等を指示したり特定の入力を行うための画像であり、例えば、画像形成処理（スキャンやコピー等）の実行を指示するためのアイコン、スタートボタンを表す画像、パラメータを設定するための画像、等である。
【００３３】
ＵＩ部２０における操作が有効な状態とは、例えば、その操作がＵＩ部２０によって受け付けられる状態や、操作を行った場合に反応する状態である。例えば、ＵＩ部２０の表示部に表示されているボタン像がユーザによって押されると、その操作はＵＩ部２０によって受け付けられて、そのボタン像に対応する処理等が実行される。
【００３４】
本実施形態では、ＵＩ部２０における操作の少なくとも一部が無効にされている状態で、端末装置１２において特定の描画入力操作が行われると、ＵＩ部２０において無効にされていた操作のうち、その描画入力操作に対応する操作が有効に設定される。特定の描画入力操作とは、例えば、表示部に表示されたボタン像や入力欄等を特定の図形で囲む操作や、ボタン像や入力欄等を特定の図形で指定する操作である。特定の図形は、例えば、円、楕円、矩形、直線、折れ線、曲線、矢印、等である。
【００３５】
以下、図３を参照して、端末装置１２の構成について詳しく説明する。図３には、端末装置１２の構成が示されている。
【００３６】
通信部２４は通信インターフェースであり、通信経路Ｎを介して、他の装置にデータを送信する機能、及び、他の装置からデータを受信する機能を備えている。通信部２４は、無線通信機能を備えた通信インターフェースであってもよいし、有線通信機能を備えた通信インターフェースであってもよい。
【００３７】
記憶部２６はハードディスク等の記憶装置であり、各種のプログラム、各種のデータ、画像形成装置１０のアドレスを示すデバイスアドレス情報、等を記憶する。
【００３８】
ＵＩ部２８はユーザインターフェース部であり、表示部と操作部を含む。表示部は、例えば液晶ディスプレイ等の表示装置である。操作部は、例えば、タッチパネル、キーボード、マウス、等の入力装置である。
【００３９】
制御部３０は、端末装置１２の各部の動作を制御する。また、制御部３０は遠隔操作部３２を含む。遠隔操作部３２は、通信経路Ｎを介して画像形成装置１０に遠隔通信し、画像形成装置１０を遠隔で操作する機能を備えている。例えば、遠隔操作部３２は、画像形成装置１０のＵＩ部２０に表示されている画面のデータを画像形成装置１０から受信し、その画面を端末装置１２のＵＩ部２８に表示させる。これにより、遠隔通信状態の下では、画像形成装置１０に表示されている画面が、端末装置１２によって共有される。なお、端末装置１２には、画像形成装置１０に表示されている画面と同一の画面が表示されてもよいし、画像形成装置１０に表示されている画面を端末装置１２用にカスタマイズ（変更、加工等）することで作成された画面が表示されてもよい。また、遠隔操作部３２は、画像形成装置１０のＵＩ部２０に対する操作の権限を制御する。つまり、遠隔操作部３２は、操作権限を画像形成装置１０から端末装置１２に移し、その操作権限を端末装置１２から画像形成装置１０に移す機能を有する。操作権限の移転先の装置、つまり操作権限を有する装置では、画像形成装置１０のＵＩ部２０への操作が有効となり、操作権限の移転元の装置、つまり操作権限を有していない装置では、その操作が無効となる。操作権限を有する装置では操作が受け付けられ、操作権限を有していない装置では操作は受け付けられない。端末装置１２が操作権限を有している場合、端末装置１２のＵＩ部２８による画像形成装置１０への操作が有効となり、端末装置１２が操作権限を有していない場合、端末装置１２のＵＩ部２８による画像形成装置１０への操作が無効となる。
【００４０】
本実施形態では、遠隔通信状態の下で、画像形成装置１０のＵＩ部２０における操作の少なくとも一部が無効になっている状態で、端末装置１２のＵＩ部２８の表示部の画面に対して特定の描画入力操作が行われた場合、遠隔操作部３２は、画像形成装置１０のＵＩ部２０において無効にされていた操作のうち、当該描画入力操作に対応する操作を有効にするよう画像形成装置１０を制御する。例えば、遠隔操作部３２は、画像形成装置１０のＵＩ部２０において無効にされていた操作のうち、ＵＩ部２８の表示部の画面において特定の描画入力操作が行われた位置に対応する操作を有効にする。
【００４１】
遠隔操作部３２は、画像形成装置１０のＵＩ部２０において無効にされていた操作のうち、ＵＩ部２８の表示部の画面に対する特定の描画入力操作によって描かれた描画画像の範囲に対応する操作を有効にしてもよい。描画画像とは、描画入力操作によって作成された画像である。例えば、特定の図形（例えば円）によって囲むという描画入力操作が行われた場合、その円の画像が描画画像に相当する。別の例として、矢印を描くという描画入力操作が行われた場合、その矢印の図形が描画画像に相当する。
【００４２】
遠隔操作部３２は、その描画画像によって囲まれた範囲内に対応する操作を有効にしてもよい。例えば、遠隔操作部３２は、画面に表示された複数のボタン像の中で、その描画画像によって囲まれた範囲内に含まれるボタン像に対する操作を有効にしてもよい。描画画像によって囲まれた範囲内に含まれるボタン像とは、例えば、描画画像に内包するボタン像であり、描画画像の一部分が重なっているボタン像であってもよいし、描画画像によって完全に囲まれた状態のボタン像であってもよい。描画画像によって囲まれた範囲内に含まれる画素数が、予め設定された閾値以上となるボタン像が、描画画像によって囲まれた範囲内に含まれるボタン像として扱われてもよい。
【００４３】
以下、本実施形態に係る画像形成システムについて詳しく説明する。
【００４４】
まず、画像形成装置１０のＵＩ部２０に表示される画面について詳しく説明する。図４には、その画面の一例としての総合メニュー画面３４が示されている。総合メニュー画面３４はメインのメニュー画面（例えば最上位の画面）であり、画像形成装置１０の制御部２２は、例えば、最初の画面として総合メニュー画面３４をＵＩ部２０に表示させる。総合メニュー画面３４には、例えば、画像形成機能を指定するためのボタン像（例えばアイコン）や、その他のサービスを指定するためのボタン像（例えばアイコン）が表示されている。もちろん、総合メニュー画面３４に表示されている情報は一例に過ぎず、他の情報が表示されてもよいし、例示された情報の一部が表示されなくてもよい。
【００４５】
図５には、画面の別の例としての機能選択画面３６が示されている。例えば、上記の総合メニュー画面３４において、画像形成機能を選択するためのボタン像がユーザによって押されると、画像形成装置１０の制御部２２は、機能選択画面３６をＵＩ部２０に表示させる。つまり、画面が総合メニュー画面３４から機能選択画面３６に遷移する。機能選択画面３６には、個々の画像形成機能（例えば、コピー機能、プリント機能、スキャン機能、ファクシミリ機能等）を指定するためのボタン像（例えばアイコン）が表示されている。ユーザによってボタン像が押されると、画像形成装置１０の制御部２２は、そのボタン像に対応する機能を設定するための画面をＵＩ部２０に表示させる。なお、機能選択画面３６に表示されている情報は一例に過ぎず、他の機能に関する情報が表示されてもよいし、例示された情報の一部が表示されなくてもよい。また、総合メニュー画面３４において別のボタン像がユーザによって押されると、そのボタン像に対応する画面がＵＩ部２０に表示される。
【００４６】
図６には、画面の別の例としてのコピー設定画面３８が示されている。例えば、上記の機能選択画面３６において、コピー機能に対応するボタン像がユーザによって押されると、画像形成装置１０の制御部２２は、コピー設定画面３８をＵＩ部２０に表示させる。つまり、画面が機能選択画面３６からコピー設定画面３８に遷移する。コピー設定画面３８にはコピーに関する設定項目が表示されており、コピー設定画面３８上にてコピーの設定が行われる。ユーザによってコピーの指示が与えられると、画像形成装置１０によってコピーが実行される。なお、コピー機能以外の画像形成機能に対応するボタン像がユーザによって押された場合、指定された画像形成機能に対応する設定画面がＵＩ部２０に表示され、その設定画面上にて設定が行われる。
【００４７】
遠隔通信状態の下では、画像形成装置１０のＵＩ部２０に表示されている上記の画面（例えば、総合メニュー画面３４、機能選択画面３６、コピー設定画面３８等）が、端末装置１２にて共有される。つまり、上記の画面が画像形成装置１０のＵＩ部２０に表示されている場合、その画面のデータが、画像形成装置１０から端末装置１２に送信され、端末装置１２の遠隔操作部３２は、その画面を端末装置１２のＵＩ部２８に表示させる。これにより、画像形成装置１０と端末装置１２とで画面が共有される。
【００４８】
なお、上記の例では、総合メニュー画面３４がメインのメニュー画面（例えば最上位の画面）に相当し、機能選択画面３６がその総合メニュー画面３４の下位の画面に相当しているが、機能選択画面３６がメインのメニュー画面であってもよい。この場合、総合メニュー画面３４はＵＩ部２０に表示されず、機能選択画面３６が最初の画面としてＵＩ部２０に表示される。
【００４９】
以下、図７を参照して、本実施形態に係る画像形成システムによる処理について説明する。図７は、その処理を示すシーケンス図である。
【００５０】
一例として、画像形成装置１０のユーザ（例えば顧客）と端末装置１２のユーザ（例えばカスタマーセンターのオペレータ）が、電話やテレビ会議システムによって会話しており、画像形成装置１０と端末装置１２が遠隔で通信しているものとする。また、遠隔通信状態の下で、端末装置１２が画像形成装置１０のＵＩ部２０に対する操作権限を有しており、画像形成装置１０は自身のＵＩ部２０に対する操作権限を有していないものとする。つまり、端末装置１２のＵＩ部２８による画像形成装置１０への操作が有効であり、画像形成装置１０のＵＩ部２０による操作が無効であるとする。以下では、この状態の下で、特定の操作についての操作権限を端末装置１２から画像形成装置１０に移す場合について説明する。つまり、画像形成装置１０のＵＩ部２０において無効にされている操作のうち、特定の操作を有効にする場合について説明する。
【００５１】
画像形成装置１０のＵＩ部２０には、例えば機能選択画面３６が表示されているものとする。遠隔通信状態の下では、その機能選択画面３６と同一の画面、又は、機能選択画面３６をカスタマイズすることで作成された画面が、端末装置１２のＵＩ部２８に表示される。この状況下で、端末装置１２のユーザ（例えばカスタマーセンターのオペレータ）は、端末装置１２のＵＩ部２８に表示された画面上で、権限の移転対象となる操作に対応する領域（例えばボタン像や入力欄等）に対して特定の描画入力操作を行う（Ｓ０１）。つまり、ユーザ（例えばオペレータ）は、画像形成装置１０にて有効とすべき操作に対応する領域（例えばボタン像や入力欄等）に対して特定の描画入力操作を行う。特定の描画入力操作の一例として、ボタン像や入力欄等が円や楕円等の図形によって囲まれたり、ボタン像や入力欄等が線や矢印等の図形によって指定されたりする。
【００５２】
描画操作入力が行われると、端末装置１２の制御部３０は、その描画入力操作に応じた描画画像を作成し、その描画画像を端末装置１２のＵＩ部２８に表示させる（Ｓ０２）。例えば、円、楕円、線、矢印、等の図形に応じた描画画像がＵＩ部２８に表示される。
【００５３】
遠隔操作部３２は、特定の描画入力操作によって描画された領域を検知し（Ｓ０３）、端末装置１２のＵＩ部２８における操作であって、その描画領域に対応する操作を無効にする（Ｓ０４）。これにより、端末装置１２のＵＩ部２８において有効にされていた操作のうち、その描画領域に対応する操作が無効になる。つまり、ＵＩ部２８における操作が部分的に無効になる。例えば、描画入力操作によって囲まれたり指定されたりしたボタン像や入力欄等に対する操作が無効になる。
【００５４】
次に、遠隔操作部３２は、検知された描画領域を画像形成装置１０に通知する（Ｓ０５）。例えば、その描画領域を示す情報が、通信経路Ｎを介して端末装置１２から画像形成装置１０に送信される。描画領域を示す情報は、例えば、画面上における描画領域の位置を示す情報、及び、描画領域の形状を示す情報を含む。
【００５５】
画像形成装置１０の制御部２２は、描画領域を示す情報を端末装置１２から受けると、その情報（例えば、描画領域の位置及び形状を示す情報）に従って、描画入力操作に応じた描画画像を、画像形成装置１０のＵＩ部２０に表示させる（Ｓ０６）。
【００５６】
画像形成装置１０の制御部２２は、画像形成装置１０のＵＩ部２０における操作であって、その描画領域に対応する操作を有効にする（Ｓ０７）。これにより、画像形成装置１０のＵＩ部２０において無効にされていた操作のうち、その描画領域に対応する操作が有効になる。つまり、ＵＩ部２０における操作が部分的に有効になる。例えば、描画入力操作によって囲まれたり指定されたりしたボタン像や入力欄等に対する操作が有効になる。
【００５７】
画像形成装置１０のユーザ（例えば顧客）が、有効になった操作を行うと（Ｓ０８）、その操作に応じた処理等が実行される。その操作が完了すると（例えば、その操作に応じた処理が完了すると）、画像形成装置１０の制御部２２は、画像形成装置１０のＵＩ部２０に表示されていた描画画像を非表示にし（Ｓ０９）、ＵＩ部２０において描画領域に対応する操作を無効にする（Ｓ１０）。
【００５８】
次に、画像形成装置１０の制御部２２は、操作完了を端末装置１２に通知する（Ｓ１１）。例えば、操作完了を示す情報が、通信経路Ｎを介して画像形成装置１０から端末装置１２に送信される。
【００５９】
端末装置１２の制御部３０は、操作完了を示す情報を受けると、端末装置１２のＵＩ部２８に表示されていた描画画像を非表示にし（Ｓ１２）、ＵＩ部２８において描画領域に対応する操作を有効にする（Ｓ１３）。
【００６０】
以下、画像形成装置１０及び端末装置１２における画面の遷移について詳しく説明する。
【００６１】
図８及び図９を参照して、特定の操作に関する操作権限を端末装置１２から画像形成装置１０に移す場合について説明する。図８には、端末装置１２における画面の遷移の一例が示されており、図９には、画像形成装置１０における画面の遷移の一例が示されている。
【００６２】
図９（ａ）に示すように、例えば、画像形成装置１０のＵＩ部２０に、図５に示されている機能選択画面３６が表示されているものとする。遠隔通信状態の下では、図８（ａ）に示すように、端末装置１２のＵＩ部２８には機能選択画面４０が表示される。この機能選択画面４０は、画像形成装置１０に表示されている画面と同一の画面である。もちろん、画像形成装置１０に表示されている画面を端末装置１２用にカスタマイズすることで作成された画面が端末装置１２に表示されてもよい。端末装置１２が操作権限を有しており、画像形成装置１０が操作権限を有していないものとする。
【００６３】
端末装置１２のユーザ（例えばカスタマーセンターのオペレータ）は、端末装置１２のＵＩ部２８に表示された機能選択画面４０上で、権限の移転対象となる操作に対応する領域に対して特定の描画入力操作を行う。図８（ａ）に示す例では、コピーを指定するためのボタン像４２が、権限の移転対象となる操作に対応する領域として選択されており、そのボタン像４２が、円状の描画画像４４によって囲まれている。この描画画像４４は、端末装置１２のユーザによる特定の描画入力操作に従って描画された画像である。遠隔操作部３２は、描画画像４４が描かれた領域（描画領域）を検知し、端末装置１２のＵＩ部２８において、その描画領域に対応する操作を無効にする。図８（ａ）に示す例では、コピーを指定するためのボタン像４２が描画画像４４によって囲まれているため、遠隔操作部３２は、端末装置１２のＵＩ部２８において、ボタン像４２に対する操作を無効にし、ボタン像４２についての操作権限を端末装置１２から画像形成装置１０に移す。これにより、端末装置１２のＵＩ部２８に表示されている機能選択画面４０上でユーザ（例えばオペレータ）によってボタン像４２が押されたり指定されたりしても、その操作は無効であり受け付けられない。また、遠隔操作部３２は、操作権限の移転を示す情報（例えば符号４６で示す情報）を機能選択画面４０上に表示させる。操作権限の移転を示す情報として、例えば「クライアント操作中」等のメッセージが表示される。
【００６４】
描画画像４４が描かれた描画領域を示す情報は、端末装置１２から画像形成装置１０に送信され、図９（ｂ）に示すように、画像形成装置１０の機能選択画面３６上に、その描画画像４４に対応する描画画像４８が表示される。描画画像４８は、例えば描画画像４４と同じ形状（例えば円形の形状）を有し、機能選択画面３６上において、機能選択画面４０上における描画画像４４の表示位置に対応する表示位置、つまり、描画画像４４の表示位置と相対的に同じ表示位置に表示される。端末装置１２においては、コピー用のボタン像４２が描画画像４４によって囲まれているため、画像形成装置１０においても、コピー用のボタン像５０（ボタン像４２に対応する画像）が描画画像４８によって囲まれている。
【００６５】
画像形成装置１０の制御部２２は、端末装置１２の遠隔操作部３２の制御の下、画像形成装置１０のＵＩ部２０において描画画像４８が描かれた領域（描画領域）に対応する操作を有効にする。図９（ｂ）に示す例では、コピー用のボタン像５０が描画画像４８によって囲まれているため、制御部２２は、画像形成装置１０のＵＩ部２０においてボタン像５０に対する操作を有効にする。これにより、画像形成装置１０のＵＩ部２０に表示されている機能選択画面３６上でユーザ（例えば顧客）によってボタン像５０が押されたり指定されたりすると、その操作は有効であり受け付けられる。また、制御部２２は、描画画像４８によって囲まれた領域に対する操作が有効であることを示す情報（符号５２で示す情報）を機能選択画面３６上に表示させる。その情報として、例えば「囲まれた領域を操作できます。」等のメッセージが表示される。
【００６６】
なお、画像形成装置１０のＵＩ部２０に表示される描画画像４８は、他の領域から識別されるように、着色されていてもよいし、特定の模様が付されていてもよい。
【００６７】
機能選択画面３６上では、描画画像４８によって囲まれた領域に対する操作のみが有効となり、描画画像４８によって囲まれていない領域に対する操作は無効となる。例えば、ファクシミリ用のボタン像やスキャン用のボタン像等が、ユーザ（例えば顧客）によって押されたり指定されたりしても、その操作は無効であり受け付けられない。
【００６８】
画像形成装置１０のユーザ（例えば顧客）が、有効になった操作（例えばボタン像５０への操作）を行うと、その操作に応じた処理等が実行される。例えば、コピーの設定やコピー等が行われる。一例として、ボタン像５０がユーザによって押されると、画像形成装置１０のＵＩ部２０に表示されている画面が、機能選択画面３６からコピー設定画面３８に遷移し、コピー設定画面３８がＵＩ部２０に表示される。また、コピー設定画面３８と同一の画面のデータ、又は、コピー設定画面３８をカスタマイズすることにより作成された画面のデータが、画像形成装置１０から端末装置１２に送信される。これにより、端末装置１２のＵＩ部２８には、コピー設定画面３８と同一の画面、又は、コピー設定画面３８をカスタマイズすることにより作成された画面が表示される。
【００６９】
例えば画像形成装置１０にてコピーが完了すると、図９（ｃ）に示すように、画像形成装置１０の制御部２２は、描画画像４８を非表示にし、描画画像４８によって囲まれた領域に対する操作を無効する。また、コピー完了を示す情報が、端末装置１２から画像形成装置１０に送信される。
【００７０】
端末装置１２の制御部３０は、コピー完了を示す情報を受けると、図８（ｃ）に示すように、描画画像４４を非表示にし、機能選択画面４０上において描画画像４４によって囲まれた領域に対する操作を有効にする。
【００７１】
以上のように、本実施形態では、端末装置１２において特定の描画入力操作が検知されると、画像形成装置１０において無効にされていた操作のうち、その特定の描画入力操作に対応する操作が有効になる。これにより、特別な操作を行うことなく、特定の操作に関する操作権限が端末装置１２から画像形成装置１０に移り、画像形成装置１０における特定の操作が有効になる。
【００７２】
本実施形態に係る画像形成システムは、以下に説明する場面にて使用されることが想定される。例えば、画像形成装置１０のユーザ（例えば顧客）が画像形成装置１０の操作が分からない場合に、顧客がカスタマーセンターのオペレータに連絡して指示を受けることが想定される。この場合、オペレータは端末装置１２によって画像形成装置１０を遠隔操作することにより、顧客が要求する画面（例えば、機能選択画面、パスワード入力画面、課金用画面等）を画像形成装置１０に表示させ、その画面が表示された段階で特定の描画入力操作を行うことにより、特定の操作についての操作権限を端末装置１２から画像形成装置１０に移す。これにより、画像形成装置１０において顧客による特定の操作が有効になる。例えば、顧客は、機能選択画面において特定の機能を選択したり、パスワード入力画面上でパスワードを入力したり、課金用画面上で課金処理に必要な操作や実行することで課金処理が行われる操作を行ったりする。その操作が完了した場合、操作権限を画像形成装置１０から端末装置１２に移し、オペレータがそれ以降の操作（例えば、顧客にとって煩雑な操作、分からない操作、オペレータが行うべき操作等）を行う。本実施形態によると、このような場面において、描画入力操作以外の操作（例えばボタン操作等）を行うことなく、画像形成装置１０において特定の操作が有効に設定されるので、描画入力操作以外の操作が必要になる場合と比べて、ユーザ（例えばオペレータや顧客）の手間が軽減される。
【００７３】
なお、端末装置１２が操作権限を有している場合、端末装置１２のＵＩ部２８にて操作が行われると、その操作が受け付けられる。例えば、図８（ａ）に示すように機能選択画面４０が端末装置１２のＵＩ部２８に表示されている状態で、端末装置１２のユーザ（例えばオペレータ）がコピー用のボタン像４２を押すと、その操作は有効として受け付けられ、その操作（遠隔操作）に応じた処理（例えばコピー設定やコピー）や画面遷移等が行われる。本実施形態では、端末装置１２のＵＩ部２８において、特定の描画入力操作以外の操作が検知された場合、遠隔操作部３２は、操作権限を端末装置１２から画像形成装置１０に移さない。
【００７４】
例えば、特定の描画入力操作を示す情報が端末装置１２の記憶部２６に記憶されている。特定の描画入力操作は、例えば、円、楕円、矩形等によって領域を囲む操作や、予め設定された長さ以上の長さを有する線（直線、折れ線、曲線、矢印等）を描画する操作（つまり、予め設定された長さ以上に連続した線を描画する操作）、等である。
【００７５】
例えば、ある領域が円や楕円等によって囲まれた場合、その円や楕円等を描画する操作が特定の描画入力操作として検知され、その領域に対応する操作が権限の移転対象の操作として検知される。具体例を挙げて説明すると、図８に示すように、ボタン像が円や楕円等によって囲まれた場合、その円や楕円等を描画する操作は特定の描画入力操作として検知され、そのボタン像に対応する操作が権限の移転対象の操作として検知される。
【００７６】
別の例として、ある領域（例えばボタン像）を横切るように、予め設定された長さ以上の長さを有する線が描画された場合、つまり、ある領域（例えばボタン像）に重畳して、予め設定された長さ以上の長さを有する線が描画された場合、その線を描画する操作が特定の描画入力操作として検知され、その領域（例えばボタン像）に対応する操作が権限の移転対象の操作として検知されてもよい。
【００７７】
更に別の例として、予め設定された長さ以上の長さを有する線が描画された場合、その線を描画する操作が特定の描画入力操作として検知され、その線を基準として予め設定された範囲に含まれる領域（例えばボタン像）に対応する操作が、権限の移転対象の操作として検知されてもよい。例えば、ある領域（例えばボタン像）に対してアンダーバーが描画された場合、その領域（例えばボタン像）に対応する操作が権限の移転対象の操作として検知される。
【００７８】
一方、例えば、予め設定された長さ未満の長さを有する線を描画する操作、一点のみを描画する操作、領域を囲まない線を描画する操作、等は、特定の描画入力操作に該当しない操作である。これらの操作が検知されても、その操作に対応する操作権限は端末装置１２から画像形成装置１０に移らない。もちろん、これらの中の１又は複数の操作を特定の描画入力操作として検知し、その操作に対応する操作権限を端末装置１２から画像形成装置１０に移してもよい。
【００７９】
以上のように、特定の描画入力操作とそれ以外の描画入力操作とを区別して検知することにより、操作権限の移転処理と端末装置１２による遠隔操作とが区別される。
【００８０】
別の例として、権限非移転用描画モードと権限移転用描画モードが端末装置１２に設定されてもよい。権限非移転用描画モードにおいては、操作権限の移転は行われず、描画入力操作に対応する描画画像が表示される。つまり、端末装置１２のＵＩ部２８に対して描画入力操作が行われた場合、端末装置１２の制御部３０は、その描画入力操作に対応する描画画像をＵＩ部２８に表示させる。また、その描画画像に対応する描画画像が、画像形成装置１０のＵＩ部２０に表示される。描画入力操作に対応する操作の権限は、画像形成装置１０に移転しない。例えば、端末装置１２のユーザ（例えばオペレータ）が、画像形成装置１０のユーザ（例えば顧客）に対して、操作すべき位置（例えば押すべきボタン）を教えるとき等に、権限非移転用描画モードが実行される。
【００８１】
権限移転用描画モードにおいては、上述した実施形態と同様に、描画入力操作に対応する描画画像が端末装置１２と画像形成装置１０にて表示され、特定の描画入力操作に対応する操作の権限が、端末装置１２から画像形成装置１０に移転する。
【００８２】
権限非移転用描画モードと権限移転用描画モードの切り替えは、例えば、端末装置１２のユーザ（例えばオペレータ）によって行われる。権限非移転用描画モードと権限移転用描画モードとで、端末装置１２のＵＩ部２８に表示される描画画像を異ならせることにより、モードが識別されるようにしてもよい。例えば、権限非移転用描画モードと権限移転用描画モードとで、表示される描画画像の色や形状等を異ならせてもよい。
【００８３】
更に別の例として、描画モードと非描画モードが端末装置１２に設定されてもよい。描画モードでは、端末装置１２による画像形成装置１０に対する遠隔操作が禁止され、特定の描画入力操作に対応する操作の権限が、端末装置１２から画像形成装置１０に移転する。非描画モードでは、特定の描画入力操作に対応する操作の権限の移転が禁止され、端末装置１２による画像形成装置１０に対する遠隔操作が許可される。描画モードと非描画モードの切り替えは、例えば、端末装置１２のユーザ（例えばオペレータ）によって行われる。
【００８４】
以下、操作権限移転処理の変形例について説明する。以下の変形例１−４においては、一例として、画像形成装置１０のＵＩ部２０に機能選択画面３６が表示されており、端末装置１２のＵＩ部２８には、その機能選択画面３６と同一の機能選択画面４０が表示されているものとする。また、端末装置１２が操作権限を有しており、画像形成装置１０が操作権限を有していないものとする。
【００８５】
（変形例１）
図１０を参照して、変形例１に係る操作権限移転処理について説明する。図１０には、画像形成装置１０に表示された画面の一例が示されている。
【００８６】
端末装置１２のＵＩ部２８に表示されている機能選択画面４０上で特定の描画入力操作が行われると、図１０に示すように、その描画入力操作によって描画された画像に対応する描画画像５４が、画像形成装置１０の機能選択画面３６上に表示される。一例として、楕円を表わす描画画像５４が表示されている。変形例１においては、画像形成装置１０のＵＩ部２０において、描画画像５４で囲まれた範囲そのものに対する操作が有効になる。一例として、ボタン像５６が描画画像５４によって完全に囲まれている。つまり、描画画像５４はボタン像５６の全体を包含している。この場合、そのボタン像５６に対する操作が有効になる。なお、ボタン像５６には「らくらくファックス」という機能が割り当てられており、そのボタン像５６を押すことにより、「らくらくファックス」という機能の実行指示が与えられる。また、「ファックス」機能を実行するためのボタン像５８の一部が、描画画像５４で囲まれた範囲内に含まれている。この場合、ボタン像５８の一部が描画画像５４によって囲まれているので、そのボタン像５８に対する操作を有効にしてもよいし、ボタン像５８の一部のみが描画画像５４によって囲まれているに過ぎないため、そのボタン像５８に対する操作を無効にしてもよい。
【００８７】
なお、描画画像５４で囲まれた範囲が他の範囲と識別されるように、描画画像５４で囲まれた範囲が、他の範囲とは異なる色で表示されてもよい。つまり、操作が有効になっている範囲が、操作が無効になっている範囲とは異なる色で表示されてもよい。
【００８８】
（変形例２）
図１１を参照して、変形例２に係る操作権限移転処理について説明する。図１１には、画像形成装置１０に表示された画面の一例が示されている。
【００８９】
端末装置１２のＵＩ部２８に表示されている機能選択画面４０上で特定の描画入力操作が行われると、図１１に示すように、その描画入力操作によって描画された画像に対応する描画画像６０が、画像形成装置１０の機能選択画面３６に表示される。一例として、楕円の描画画像６０が表示されている。変形例２においては、機能選択画面３６上においてボタン像毎にボタン領域が割り当てられている。ボタン領域は、対応するボタン像を内包する領域である。そのボタン領域は一例として矩形状の形状を有している。もちろん、そのボタン領域は曲線を有する形状を有していてもよい。画像形成装置１０のＵＩ部２０において操作が有効になっている場合、例えば、ボタン像自体が操作されなくても、そのボタン像を内包するボタン領域内の領域が操作されると、その操作はそのボタン像に対する操作として受け付けられる。例えば、「らくらくファックス」という機能を実行するためのボタン像５６には、そのボタン像５６を内包する矩形状のボタン領域６２が割り当てられている。画像形成装置１０のＵＩ部２０においてボタン像５６に対する操作が有効になっている場合、ボタン像５６自体が操作されなくても、ボタン領域６２内の領域に対して操作が行われると、その操作はボタン像５６に対する操作として受け付けられる。
【００９０】
変形例２においては、ボタン領域の全体が描画画像によって囲まれている場合、つまり、描画画像がボタン領域の全体を包含している場合に、画像形成装置１０のＵＩ部２０にいて、そのボタン領域に対する操作が有効になる。図１１に示す例では、ボタン像５６に対応するボタン領域６２が、描画画像６０によって完全に囲まれている。つまり、ボタン領域６２の全体が描画画像６０に包含されている。この場合、画像形成装置１０のＵＩ部２０において、ボタン領域６２に対する操作、つまり、ボタン像５６に対する操作が有効になる。一方、「ファックス」機能が割り当てられたボタン領域、「らくらくコピー」機能が割り当てられたボタン領域、「スキャン（ＰＣ保存）」機能が割り当てられたボタン領域、及び、「ボックス操作」機能が割り当てられたボタン領域は、それぞれ、一部のみが描画画像６０に包含されている。この場合、画像形成装置１０のＵＩ部２０において、それらのボタン領域に対する操作は無効になる。
【００９１】
なお、描画画像６０によって完全に囲まれたボタン領域（全体が描画画像６０によって囲まれたボタン領域）が他のボタン領域と識別されるように、描画画像６０によって完全に囲まれたボタン領域が、他のボタン領域とは異なる色で表示されてもよい。つまり、操作が有効になっているボタン領域が、操作が無効になっているボタン領域とは異なる色で表示されてもよい。
【００９２】
（変形例３）
図１２を参照して、変形例３に係る操作権限移転処理について説明する。図１２には、画像形成装置１０に表示された画面の一例が示されている。
【００９３】
端末装置１２のＵＩ部２８に表示されている機能選択画面４０上で特定の描画入力操作が行われると、図１２に示すように、その描画入力操作によって描画された画像に対応する描画画像６４が、画像形成装置１０の機能選択画面３６に表示される。一例として、楕円の描画画像６４が表示されている。変形例３においては、変形例２にと同様に、機能選択画面３６上においてボタン像毎にボタン領域が割り当てられており、ボタン領域内の領域に対して操作が行われると、その操作はそのボタン領域に対応するボタン像に対する操作として受け付けられる。
【００９４】
変形例３においては、ボタン領域の少なくとも一部が描画画像によって囲まれている場合、つまり、描画画像がボタン領域の少なくとも一部を包含している場合に、画像形成装置１０のＵＩ部２０において、そのボタン領域に対応する操作が有効になる。図１２に示す例では、ボタン領域６２，６６，６８，７０のそれぞれの一部が描画画像６４に含まれている。この場合、ボタン領域６２，６６，６８，７０のそれぞれに対する操作が有効になる。つまり、ボタン領域６２，６６，６８，７０のそれぞれに対応するボタン像に対する操作が有効になる。図１２に示す例では、画像形成装置１０のＵＩ部２０において、ボタン領域６２に対応するボタン像としての「らくらくファックス」機能を実行するためボタン像、ボタン領域６６に対応するボタン像としての「コピー」機能を実行するためのボタン像、ボタン領域６８に対応するボタン像としての「ファックス」機能を実行するためのボタン像、及び、ボタン領域７０に対応するボタン像としての「らくらくコピー」機能を実行するためのボタン像、に対する操作が有効になる。
【００９５】
なお、描画画像６４によって囲まれた範囲内に含まれる画素数が、予め設定された閾値以上となるボタン領域に対する操作が有効に設定され、その画素数が閾値未満となるボタン領域に対する操作が有効に設定されてもよい。
【００９６】
少なくとも一部が描画画像６４によって囲まれたボタン領域が他のボタン領域と識別されるように、少なくとも一部が描画画像６４によって囲まれたボタン領域が、他のボタン領域とは異なる色で表示されてもよい。つまり、操作が有効になっているボタン領域が、操作が無効になっているボタン領域とは異なる色で表示されてもよい。
【００９７】
（変形例４）
図１３を参照して、変形例４に係る操作権限移転処理について説明する。図１３には、画像形成装置１０に表示された画面の一例が示されている。
【００９８】
端末装置１２のＵＩ部２８に表示されている機能選択画面４０上で特定の描画入力操作が行われると、図１３に示すように、その描画入力操作によって描画された画像に対応する描画画像７２が、画像形成装置１０の機能選択画面３６上に表示される。一例として、直線を表わす描画画像７２が表示されている。例えば、描画画像７２によって表されている線の長さが、予め設定された長さ以上の場合、その描画画像７２を描画する操作は特定の描画入力操作として検知され、描画画像７２を基準として、予め設定された範囲内に表示されているボタン像に対する操作が有効になる。図１３に示す例では、ボタン像５６に対する操作が有効になる。別の例として、直線を表わす描画画像７２と交差するボタン像に対する操作が有効に設定されてもよい。例えば、ボタン像５６に対して描画画像７２が重畳して描画された場合、そのボタン像５６に対する操作が有効に設定されてもよい。
【００９９】
図１３には、別の例として、矢印を表わす描画画像７４が示されており、その矢印によって指定されたボタン像（矢印が指し示すボタン像）に対する操作が有効に設定されてもよい。図１３に示す例では、ボタン像７６が矢印によって指定されており、ボタン像７６に対する操作が有効になる。
【０１００】
変形例４においても、操作が有効になっている範囲やボタン像が、操作が無効になっている範囲やボタン像とは異なる色で表示されてもよい。
【０１０１】
（変形例５）
図１４を参照して、変形例５に係る操作権限移転処理について説明する。図１４には、画像形成装置１０に表示された画面の一例が示されている。
【０１０２】
変形例５においては、一例として、画像形成装置１０のＵＩ部２０にパスワード入力画面７８が表示されており、端末装置１２のＵＩ部２８には、そのパスワード入力画面７８と同一又はカスタマイズされたパスワード入力画面が表示されているものとする。また、端末装置１２が操作権限を有しており、画像形成装置１０は操作権限を有していないものとする。パスワード入力画面７８にはパスワード入力欄８０が表示されており、画像形成装置１０のユーザ（例えば顧客）によってパスワード入力欄８０にパスワードが入力されるようになっている。
【０１０３】
端末装置１２のＵＩ部２８に表示されているパスワード入力画面（パスワード入力画面７８に対応する画面）上で特定の描画入力操作が行われると、図１４に示すように、その描画入力操作によって描画された画像に対応する描画画像８２が、画像形成装置１０のパスワード入力画面７８上に表示される。一例として、楕円を表わす描画画像８２が表示されている。変形例５においては、描画画像８２で囲まれた範囲そのものに対する操作が有効になる。一例として、パスワード入力欄８０が描画画像８２によって完全に囲まれている。つまり、描画画像８２がパスワード入力欄８０の全体を包含している。この場合、パスワード入力欄８０に対する操作が有効になる。別の例として、パスワード入力欄８０の少なくとも一部が描画画像８２によって囲まれている場合に、パスワード入力欄８０に対する操作が有効になってもよい。
【０１０４】
変形例５においても、操作が有効になっている範囲や入力欄が、操作が無効になっている範囲や入力欄とは異なる色で表示されてもよい。
【０１０５】
（変形例６）
図１５を参照して、変形例６に係る操作権限移転処理について説明する。図１５には、画像形成装置１０に表示された画面の一例が示されている。
【０１０６】
変形例６においては、変形例５と同様に、画像形成装置１０のＵＩ部２０にパスワード入力画面７８が表示されており、端末装置１２のＵＩ部２８には、そのパスワード入力画面７８と同一又はカスタマイズされたパスワード入力画面が表示されている。また、端末装置１２が操作権限を有しており、画像形成装置１０は操作権限を有していない。
【０１０７】
端末装置１２のＵＩ部２８に表示されているパスワード入力画面上で特定の描画入力操作が行われると、図１５に示すように、その描画入力操作によって描画された画像に対応する描画画像８４が、画像形成装置１０のパスワード入力画面７８上に表示される。一例として、直線を表わす描画画像８４が表示されている。例えば、描画画像８４によって表されている線の長さが、予め設定された長さ以上の場合、その描画画像８４を描画する操作は特定の描画入力操作として検知され、描画画像８４を基準として、予め設定された範囲内に表示されている範囲に対する操作が有効になる。図１５に示す例では、パスワード入力欄８０に対する操作が有効になる。別の例として、直線を表わす描画画像８４と交差するボタン像や入力欄に対する操作が有効に設定されてもよい。例えば、パスワード入力欄８０に対して描画画像８４が重畳して描画された場合、パスワード入力欄８０に対する操作が有効に設定されてもよい。
【０１０８】
図１５には、別の例として、矢印を表わす描画画像８６が示されており、その矢印によって指定された入力欄（矢印が指し示す入力欄）に対する操作が有効に設定されてもよい。図１５に示す例では、パスワード入力欄８０が矢印によって指定されており、パスワード入力欄８０に対する操作が有効になる。
【０１０９】
変形例６においても、操作が有効になっている範囲やボタン像が、操作が無効になっている範囲やボタン像とは異なる色で表示されてもよい。
【０１１０】
パスワード入力欄以外の例として、例えば、課金処理用の入力欄が表示され、その入力欄に対する操作が描画入力操作によって有効になってもよい。
【０１１１】
（変形例７）
図１６を参照して、変形例７に係る操作権限移転処理について説明する。図１６には、端末装置１２に表示された画面の一例が示されている。
【０１１２】
変形例１と同様に、画像形成装置１０のＵＩ部２０に機能選択画面３６が表示されており、端末装置１２のＵＩ部２８には、その機能選択画面３６と同一の機能選択画面４０が表示されているものとする。また、端末装置１２が操作権限を有しており、画像形成装置１０が操作権限を有していないものとする。
【０１１３】
変形例７では、端末装置１２の制御部３０は、ＵＩ部２８の表示部の画面に対する描画入力操作を検知する機能を備えている。この場合、制御部３０は検知手段の一例として機能する。制御部３０は、例えば、描画入力操作の開始と終了を検知する。描画入力操作の開始とは、例えば、ＵＩ部２８の表示部の画面への操作子（例えばユーザの指やスタイラス等）の接触が検知された時点である。描画入力操作の終了とは、その操作子が画面から離れた時点や、操作子によるドラッグ操作が検出されなくなった時点である。
【０１１４】
例えば、制御部３０によって特定の描画入力操作の終了が検知された後、予め設定された時間が経過した場合、遠隔操作部３２は、画像形成装置１０のＵＩ部２０において無効にされていた操作のうち、特定の描画入力操作に対応する操作を有効にする。例えば、複数の描画入力操作によって複数の描画画像が作成された場合、最後の描画画像が作成されてから予め設定された時間が経過した後に、画像形成装置１０のＵＩ部２０において、各描画入力操作に対応する各範囲への操作が有効に設定される。この場合、制御部３０によって描画入力操作が検知された後、予め設定された時間内に新たな描画入力操作が検知された場合、遠隔操作部３２は、画像形成装置１０のＵＩ部２０において、各描画入力操作に対応する各範囲への操作を有効にせずに無効を維持する。新たな描画入力操作の終了が検知された後、予め設定された時間が経過した場合、遠隔操作部３２は、画像形成装置１０のＵＩ部２０において無効にされていた操作のうち、各特定の描画入力操作に対応する各範囲への操作を有効にする。
【０１１５】
図１６を参照して具体例を挙げて説明する。例えば、端末装置１２のＵＩ部２８に表示されている機能選択画面４０上で特定の描画入力操作が行われ、描画画像８８，９０が描画されたものとする。描画画像８８，９０は、円を表わす画像である。より詳しく説明すると、まず、描画画像８８を描くための描画入力操作が行われ、その描画入力操作の開始と終了が検知される。描画画像８８の描画が終了した後、つまり、その描画の終了が検知された後、予め設定された時間が経過する前に、描画画像９０を描くための描画入力操作の開始が検知された場合、遠隔操作部３２は、画像形成装置１０のＵＩ部２０において、描画画像８８に対応する範囲への操作（例えばボタン像９２への操作）を有効にせずに無効を維持する。描画画像９０の描画が終了した後、つまり、その描画の終了が検知された後、予め設定された時間が経過した場合、遠隔操作部３２は、画像形成装置１０のＵＩ部２０において、描画画像８８に対応する範囲への操作（例えばボタン像９２への操作）と描画画像９０に対応する範囲への操作（例えばボタン像９２への操作）を有効にする。一方、描画画像９０の描画が終了した後、予め設定された時間が経過する前に、新たな描画画像を描くための新たな描画入力操作が検知された場合、遠隔操作部３２は、画像形成装置１０のＵＩ部２０において、描画画像８８，９０のそれぞれに対応する範囲への操作（例えばボタン像９２，９４への操作）を有効にせずに無効を維持する。
【０１１６】
以上のように、複数の描画入力操作が行われた場合、最後の描画入力操作の終了が検知されてから予め設定された時間が経過した後に、画像形成装置１０のＵＩ部２０において、各描画入力操作に対応する各操作がまとめて有効に設定される。これより、複数の描画入力操作に対応する複数の範囲への操作を有効にしようとする場合において、描画入力操作が行われる度に描画入力操作に対応する範囲への操作を個別的に有効にする場合と比べて、画像形成装置１０のユーザにとって煩雑さが軽減される。
【０１１７】
（変形例８）
図１７を参照して、変形例８に係る操作権限移転処理について説明する。図１７には、画像形成装置１０に表示された画面の一例が示されている。
【０１１８】
上述した実施形態及び変形例では、端末装置１２が操作権限を有しており、画像形成装置１０が操作権限を有していない場合において、端末装置１２において特定の描画入力操作が行われると、画像形成装置１０のＵＩ部２０において、その特定の描画入力操作に対応する範囲への操作が有効に設定される。
【０１１９】
変形例８では、これとは逆に、画像形成装置１０が操作権限を有している場合において、端末装置１２において特定の描画入力操作が行われた場合に、画像形成装置１０のＵＩ部２０において、その特定の描画入力操作に対応する範囲への操作が無効に設定される。
【０１２０】
例えば図１７に示すように、端末装置１２の機能選択画面４０上において×印を表わす描画画像が描画されると、画像形成装置１０の機能選択画面３６上には、その描画画像に対応する描画画像９６が表示される。この場合、画像形成装置１０のＵＩ部２０において、その描画画像９６に対応する範囲への操作が無効に設定されてもよい。図１７に示す例では、ボタン像５６上に描画画像９６が描かれているので、ボタン像５６への操作が無効に設定される。別の例として、直線を表わす描画画像９８が描かれた場合、画像形成装置１０のＵＩ部２０において、その描画画像９８に対応する範囲への操作が無効に設定されてもよい。図１７に示す例では、ボタン像７６上に描画画像９８が描かれているので、ボタン像７６への操作が無効に設定される。
【０１２１】
変形例８のように、画像形成装置１０のＵＩ部２０において特定の描画入力操作に対応する範囲を無効にする場合であっても、特定の操作が個別的に有効又は無効に設定される。
【０１２２】
なお、上述した実施形態及び変形例では、描画入力操作が行われて画像形成装置１０のＵＩ部２０においてその描画入力操作に対応する範囲への操作が有効に設定された場合、端末装置１２のＵＩ部２８においては、その範囲への操作が無効に設定される。別の例として、端末装置１２にて描画入力操作が行われても、端末装置１２のＵＩ部２８においては、その描画入力操作に対応する範囲への操作は有効に維持されてもよい。つまり、描画入力操作に対応する範囲についての操作権限は、端末装置１２から画像形成装置１０に完全に移転せずに、その範囲に対しては、端末装置１２と画像形成装置１０の両方において操作が有効に設定されてもよい。
【０１２３】
また、別の変形例として、画像形成装置１０のＵＩ部２０に備えられているハードウェアキーを表すソフトウェアキーを表わす画像が、端末装置１２のＵＩ部２８に表示され、端末装置１２の遠隔操作部３２は、画像形成装置１０のハードウェアキーを遠隔操作する機能を有していてもよい。画像形成装置１０のハードウェアキーへの操作が無効の状態において、端末装置１２のＵＩ部２８に表示されたソフトウェアキーを表わす画像の特定の範囲に対して特定の描画入力操作が行われると、画像形成装置１０のハードウェアキーの中でその特定の範囲（特定の描画入力操作に対応する範囲）に対応する部分への操作が有効に設定されてもよい。
【０１２４】
上述した実施形態及び変形例では、画像形成装置１０と端末装置１２とを含む画像形成システムについて説明したが、描画入力操作による操作権限の移転に関する処理は、画像形成装置１０以外の装置を含むシステムに適用されてもよい。
【０１２５】
上記の画像形成装置１０及び端末装置１２のそれぞれは、一例としてハードウェア資源とソフトウェアとの協働により実現される。具体的には、画像形成装置１０及び端末装置１２のそれぞれは、図示しないＣＰＵ等の１又は複数のプロセッサを備えている。当該１又は複数のプロセッサが、図示しない記憶装置に記憶されたプログラムを読み出して実行することにより、画像形成装置１０及び端末装置１２の各部の機能が実現される。上記プログラムは、ＣＤやＤＶＤ等の記録媒体を経由して、又は、ネットワーク等の通信経路を経由して、記憶装置に記憶される。別の例として、画像形成装置１０及び端末装置１２のそれぞれの各部は、例えばプロセッサや電子回路等のハードウェア資源により実現されてもよい。その実現においてメモリ等のデバイスが利用されてもよい。別の例として、画像形成装置１０及び端末装置１２のそれぞれの各部は、ＤＳＰ（Digital Signal Processor）やＦＰＧＡ（Field Programmable Gate Array）等によって実現されてもよい。
【符号の説明】
【０１２６】
１０  画像形成装置、１２  端末装置、３２  遠隔操作部。
【図１】
2018005273.tif 000003
【図２】
2018005273.tif 000004
【図３】
2018005273.tif 000005
【図４】
2018005273.tif 000006
【図５】
2018005273.tif 000007
【図６】
2018005273.tif 000008
【図７】
2018005273.tif 000009
【図８】
2018005273.tif 000010
【図９】
2018005273.tif 000011
【図１０】
2018005273.tif 000012
【図１１】
2018005273.tif 000013
【図１２】
2018005273.tif 000014
【図１３】
2018005273.tif 000015
【図１４】
2018005273.tif 000016
【図１５】
2018005273.tif 000017
【図１６】
2018005273.tif 000018
【図１７】
2018005273.tif 000019